(57)【要約】      （修正有）【課題】タッチパネル上のキーが押された時、そのキーが正しく押されたことを確認することができる画像形成装置を提供する。【解決手段】タッチパネル５に表示されているキーが選択されたかどうかを検知するキー選択検知手段４と、キーが選択されたことを音で知らせるための音出力手段９と、音出力の開始時間を設定する音出力開始時間設定手段１３と、出力する時間を設定する音出力時間設定手段７と、音の周波数を設定する音周波数設定手段８と、操作パネルに振動を伝える操作パネル振動手段１２と、タッチパネル５を振動させる振動開始時間を設定する振動開始時間設定手段１４と振動波形を設定する振動波形設定手段と振動周波数を設定する振動周波数設定手段１０とを備える。キーが押された時、設定された時間と周波数により、音を出力すると共に、設定された時間と振動周波数及び振動波形によって、タッチパネル５を振動させるようにした。【選択図】図１
2006150865.tif 000002
【特許請求の範囲】
【請求項１】
操作者が触れることで決定するタッチパネル式の表示装置を操作パネルとして備える画像形成装置において、前記表示装置に表示されているキーが選択されたか否かを検知するキー選択検知手段と、前記キーが選択されたことを操作者に音で知らせるための音出力手段と、音出力の開始時間を設定する音出力開始時間設定手段と、音を出力する時間を設定する音出力時間設定手段と、前記音出力手段から出力する音の周波数を設定する音周波数設定手段と、前記操作パネル上のタッチパネルに振動を伝える振動伝達手段と、前記タッチパネルの振動開始時間を設定する振動開始時間設定手段と、前記タッチパネルを振動させる振動波形を設定する振動波形設定手段と、前記タッチパネルの振動周波数を設定する振動周波数設定手段とを備え、前記キーが押された時、前記音出力時間設定手段により設定された時間と、前記音周波数設定手段により設定された周波数とに基づいて、前記音出力手段から音を出力すると共に、振動開始時間設定手段により設定された時間、前記振動周波数設定手段により設定された振動周波数、及び前記振動波形設定手段により設定された振動波形に基づいて、前記振動伝達手段により前記タッチパネルを振動させることを特徴とする画像形成装置。
【請求項２】
請求項１に記載の画像形成装置において、前記振動波形設定手段は、前記タッチパネルを振動させる振動波形を、正弦波、矩形波、三角波、あるいはこれらの波形の組み合わせにより設定することを特徴とする画像形成装置。
【請求項３】
請求項１に記載の画像形成装置において、前記キー選択検知手段は前記タッチパネルの押下を検知することを特徴とする画像形成装置。
【請求項４】
請求項１に記載の画像形成装置において、前記キー選択検知手段は前記タッチパネルが押下されなくなったことを検知することを特徴とする画像形成装置。
【請求項５】
請求項１に記載の画像形成装置おいて、前記振動周波数設定手段により設定された振動周波数は、単一の周波数あるいは複数の周波数の組み合わせであることを特徴とする画像形成装置。
【請求項６】
請求項１乃至請求項５の何れか１項に記載の画像形成装置において、前記音出力時間設定手段、前記音周波数設定手段、前記振動周波数設定手段、前記振動波形設定手段、前記音出力開始時間設定手段、及び前記振動開始時間設定手段の夫々の設定は、キー個別、又は全てのキーを一括により行うことを特徴とする画像形成装置。
【請求項７】
請求項１乃至請求項６の何れか１項に記載の画像形成装置において、内蔵された第１の記憶手段と、外部に設けられた第２の記憶手段とを備え、前記音出力時間、前記音周波数、前記振動周波数、前記振動波形、前記音出力開始時間、及び前記振動開始時間を前記第１の記憶手段、又は前記第２の記憶手段に保存することを特徴とする画像形成装置。
【請求項８】
操作者が触れることで決定するタッチパネル式の表示装置を操作パネルとして備える画像形成装置において、前記表示装置に表示されているキーが押下されたことを検知するキー選択検知手段と、前記操作パネル上のタッチパネルに振動を伝える振動伝達手段と、前記タッチパネルを振動させる振動時間を設定する振動時間設定手段と、前記タッチパネルを振動させる振動波形を設定する振動波形設定手段と、前記タッチパネルの振動周波数を設定する振動周波数設定手段と、前記キーの押下を検知してから前記タッチパネルを振動させるまでの時間を設定する振動待機時間設定手段とを備え、前記キーが押された時、前記振動待機時間設定手段により設定された待機時間後から、前記振動時間設定手段により設定された時間、前記振動周波数設定手段により設定された振動周波数、及び前記振動波形設定手段により設定された振動波形に基づいて、前記振動伝達手段により前記タッチパネルを振動させることを特徴とする画像形成装置。
【請求項９】
請求項８に記載の画像形成装置において、前記振動波形設定手段は、前記タッチパネルを振動させる振動波形を、正弦波、矩形波、三角波、或いはこれらの波形の組み合わせにより設定することを特徴とする画像形成装置。
【請求項１０】
請求項９に記載の画像形成装置において、前記振動波形設定手段により複数種類の波形が設定された場合、前記振動周波数設定手段は波形毎に周波数を設定することを特徴とする画像形成装置。
【請求項１１】
請求項９に記載の画像形成装置において、前記振動波形設定手段により複数種類の波形が設定された場合、前記振動待機時間設定手段は波形毎に振動待機時間を設定することを特徴とする画像形成装置。
【請求項１２】
請求項８乃至請求項１１の何れか１項に記載の画像形成装置において、内蔵された第１の記憶手段と、外部に設けられた第２の記憶手段とを備え、前記振動時間、前記振動波形、前記振動周波数、及び前記振動待機時間を前記第１の記憶手段、又は前記第２の記憶手段に保存することを特徴とする画像形成装置。
【請求項１３】
請求項１２に記載の画像形成装置において、前記第２の記憶手段は取り外し可能に構成されていることを特徴とする画像形成装置。
【請求項１４】
請求項１２に記載の画像形成装置において、前記第１の記憶手段または前記第２の記憶手段に保存された前記振動時間、前記振動波形、前記振動周波数、及び前記振動待機時間の設定内容は、パスワードにより保護され、パスワードの一致が確認された場合のみ保存された設定内容を変更できることを特徴とした画像形成装置。
【請求項１５】
請求項１２に記載の画像形成装置において、前記振動時間、前記振動波形、前記振動周波数、前記振動待機時間に対しそれぞれ個別のパスワードを設定するか、全て同じパスワードを設定するかを選択できることを特徴とする画像形成装置。
【発明の詳細な説明】
【技術分野】
【０００１】
本発明は、タッチパネル上のキーが選択されたことを音と振動により操作者に知らせることができる画像形成装置に関する。
【背景技術】
【０００２】
従来、タッチパネル式表示装置を操作パネルに有する画像形成装置においては、タッチパネル上のキーを押下しても、実際にそのキーが選択されたかどうか表示装置を確認するしか方法がなく、わかり難かった。
なお、先行文献としては特許文献１がある。
【特許文献１】特開２００３−９４７６１公報
【発明の開示】
【発明が解決しようとする課題】
【０００３】
本発明は上記従来技術の問題点に鑑みてなされたものであり、タッチパネル上のキーが押されたことで、ある期間ブザー音が鳴り、そのブザー音と同じ時間だけタッチパネルが振動することにより、そのキーが正しく押されたことを操作者が確認することができる画像形成装置を提供することを目的とする。
【課題を解決するための手段】
【０００４】
上記目的を達成するため、請求項１の発明は、操作者が触れることで決定するタッチパネル式の表示装置を操作パネルとして備える画像形成装置において、前記表示装置に表示されているキーが選択されたか否かを検知するキー選択検知手段と、前記キーが選択されたことを操作者に音で知らせるための音出力手段と、音出力の開始時間を設定する音出力開始時間設定手段と、音を出力する時間を設定する音出力時間設定手段と、前記音出力手段から出力する音の周波数を設定する音周波数設定手段と、前記操作パネル上のタッチパネルに振動を伝える振動伝達手段と、前記タッチパネルの振動開始時間を設定する振動開始時間設定手段と、前記タッチパネルを振動させる振動波形を設定する振動波形設定手段と、前記タッチパネルの振動周波数を設定する振動周波数設定手段とを備え、前記キーが押された時、前記音出力時間設定手段により設定された時間と、前記音周波数設定手段により設定された周波数とに基づいて、前記音出力手段から音を出力すると共に、振動開始時間設定手段により設定された時間、前記振動周波数設定手段により設定された振動周波数、及び前記振動波形設定手段により設定された振動波形に基づいて、前記振動伝達手段により前記タッチパネルを振動させる画像形成装置を特徴とする。
請求項２の発明は、請求項１に記載の画像形成装置において、前記振動波形設定手段は、前記タッチパネルを振動させる振動波形を、正弦波、矩形波、三角波、あるいはこれらの波形の組み合わせにより設定することを特徴とする。
請求項３の発明は、請求項１に記載の画像形成装置において、前記キー選択検知手段は前記タッチパネルの押下を検知することを特徴とする。
請求項４の発明は、請求項１に記載の画像形成装置において、前記キー選択検知手段は前記タッチパネルが押下されなくなったことを検知することを特徴とする。
請求項５の発明は、請求項１に記載の画像形成装置おいて、前記振動周波数設定手段により設定された振動周波数は、単一の周波数あるいは複数の周波数の組み合わせであることを特徴とする。
請求項６の発明は、請求項１乃至請求項５の何れか１項に記載の画像形成装置において、前記音出力時間設定手段、前記音周波数設定手段、前記振動周波数設定手段、前記振動波形設定手段、前記音出力開始時間設定手段、及び前記振動開始時間設定手段の夫々の設定は、キー個別、又は全てのキーを一括により行うことを特徴とする。
請求項７の発明は、請求項１乃至請求項６の何れか１項に記載の画像形成装置において、内蔵された第１の記憶手段と、外部に設けられた第２の記憶手段とを備え、前記音出力時間、前記音周波数、前記振動周波数、前記振動波形、前記音出力開始時間、及び前記振動開始時間を前記第１の記憶手段、又は前記第２の記憶手段に保存することを特徴とする。
請求項１乃至請求項７の本発明によれば、タッチパネル上のキーが押された時に所定期間、例えばビープ音などの音を鳴らすと共に、その音と同じ時間だけタッチパネルを振動させることができるようになる。
【０００５】
請求項８の発明は、操作者が触れることで決定するタッチパネル式の表示装置を操作パネルとして備える画像形成装置において、前記表示装置に表示されているキーが押下されたことを検知するキー選択検知手段と、前記操作パネル上のタッチパネルに振動を伝える振動伝達手段と、前記タッチパネルを振動させる振動時間を設定する振動時間設定手段と、前記タッチパネルを振動させる振動波形を設定する振動波形設定手段と、前記タッチパネルの振動周波数を設定する振動周波数設定手段と、前記キーの押下を検知してから前記タッチパネルを振動させるまでの時間を設定する振動待機時間設定手段とを備え、前記キーが押された時、前記振動待機時間設定手段により設定された待機時間後から、前記振動時間設定手段により設定された時間、前記振動周波数設定手段により設定された振動周波数、及び前記振動波形設定手段により設定された振動波形に基づいて、前記振動伝達手段により前記タッチパネルを振動させる画像形成装置を特徴とする。
請求項９の発明は、請求項８に記載の画像形成装置において、前記振動波形設定手段は、前記タッチパネルを振動させる振動波形を、正弦波、矩形波、三角波、或いはこれらの波形の組み合わせにより設定することを特徴とする。
請求項１０の発明は、請求項９に記載の画像形成装置において、前記振動波形設定手段により複数種類の波形が設定された場合、前記振動周波数設定手段は波形毎に周波数を設定することを特徴とする。
請求項１１の発明は、請求項９に記載の画像形成装置において、前記振動波形設定手段により複数種類の波形が設定された場合、前記振動待機時間設定手段は波形毎に振動待機時間を設定することを特徴とする。
請求項１２の発明は、請求項８乃至請求項１１の何れか１項に記載の画像形成装置において、内蔵された第１の記憶手段と、外部に設けられた第２の記憶手段とを備え、前記振動時間、前記振動波形、前記振動周波数、及び前記振動待機時間を前記第１の記憶手段、又は前記第２の記憶手段に保存することを特徴とする。
請求項１３の発明は、請求項１２に記載の画像形成装置において、前記第２の記憶手段は取り外し可能に構成されていることを特徴とする。
請求項１４の発明は、請求項１２に記載の画像形成装置において、前記第１の記憶手段または前記第２の記憶手段に保存された前記振動時間、前記振動波形、前記振動周波数、及び前記振動待機時間の設定内容は、パスワードにより保護され、パスワードの一致が確認された場合のみ保存された設定内容を変更できることを特徴とする。
請求項１５の発明は、請求項１２に記載の画像形成装置において、前記振動時間、前記振動波形、前記振動周波数、前記振動待機時間に対しそれぞれ個別のパスワードを設定するか、全て同じパスワードを設定するかを選択できることを特徴とする。
請求項８乃至請求項１５の本発明によれば、タッチパネルが押下されたことを検知すると、タッチパネルを振動させることが可能になる。
【発明の効果】
【０００６】
以上説明したように、請求項１乃至請求項７に記載の本発明によれば、タッチパネル上のキーが押された時に所定時間だけ例えば音を鳴らすと共に、その鳴動時間と同じ時間だけタッチパネルを振動させるようにしているので、操作者はキーが正しく押されたことを確認することができ、操作性を向上させた画像形成装置を提供することができる。
また請求項８乃至１５に記載の本発明によれば、画像形成装置のタッチパネルが押下されたことを検知したときは、タッチパネルを振動させるようにしているので、操作者にタッチパネルの押下を知らせることができ、操作性を向上させた画像形成装置を提供することができる。
【発明を実施するための最良の形態】
【０００７】
以下、本発明の画像形成装置の実施形態について説明する。なお、本実施の形態においては電子写真方式の画像形成装置を例に挙げて説明する。
〔第１の実施の形態〕
図１は、第１の実施形態に係る画像形成装置の制御系の構成を示したブロック図である。
この図１において、ＣＰＵ１はＲＯＭ２に格納されていている制御プログラムにより本実施形態の画像形成装置の制御を行っている。ＲＡＭ３はＣＰＵ１で処理されたデータを一時的に記憶している。ＣＰＵ１は必要に応じてＲＡＭ３にデータを記憶させたり、読み出したりしている。キー選択検知手段４は、操作パネル上にあるタッチパネル５が指あるいはペンなどで押されたことを検知するか、または押された状態が解除されたことを検知し、選択されたキーの情報をＣＰＵ１に送る。ＣＰＵ１は送られてきたキー情報を基に音周波数設定手段８からキーに対応した周波数データを読み出し、音出力手段９に送り音を出力する。音出力時間設定手段７は音を出力する時間を設定する。音出力時間設定手段７に設定できる時間は、例えば操作者は予め０秒から１０秒まで任意に設定できるものとする。
音出力開始時間設定手段１３は音出力手段９が音出力を開始する時間を設定する。音出力開始時間設定手段１３に設定できる時間は、例えば操作者が予め０秒から１０秒まで任意に設定できるものとする。なお、音出力手段９は圧電ブザーなどを使用してもよい。
ＬＣＤ６はタッチパネル５の下に配置され、グラフィックによりキーを表示する。ＣＰＵ１はタッチパネル５の横方向および縦方向の座標データからＬＣＤ６に表示されたどのキーが選択されたかを判断する。さらに、タッチパネル５が押されたことを検知すると、ＣＰＵ１は振動周波数設定手段１０により設定された振動周波数と、振動波形設定手段１１により設定された振動波形により操作パネル振動手段１２を制御する。振動時間は音出力時間設定手段７で設定された時間と同じである。
振動開始時間設定手段１４は操作パネル振動手段１２が振動を開始する時間を設定する。なお、振動開始時間設定手段１４に設定する振動開始時間は、例えば操作者が予め０秒から１０秒まで任意に設定できるものとする。また、振動周波数設定手段１０に設定する振動周波数も、例えば操作者が予め０Ｈｚから１００ｋＨｚまで任意に設定できるものとする。さらに振動波形設定手段１１に設定する振動波形は、正弦波、矩形波、三角波、あるいはこれら複数の波形の組み合わせを任意に設定できるものとする。
【０００８】
図２は、上記図１に示した振動波形設定手段により設定される振動波形例を示した図である。この図２に示すように振動波形設定手段１１により設定される振動波形としては、図２（ａ）に示すような正弦波の振動波形、図２（ｂ）に示すような矩形波の振動波形、図２（ｃ）に示すような三角波の振動波形が考えられる。また図２（ｄ）に示すような同じ信号波形で有りながら振動途中から振動周波数を変化させた振動波形、図２（ｅ）に示すような同じ周波数でありながら複数種類の波形の組み合わせた振動波形、図２（ｆ）に示すような波形形状と周波数が異なる複数種類を組み合わせた振動波形が考えられる。
また第１の実施形態の画像形成装置においては、音出力時間設定手段７により設定された音出力時間、音周波数設定手段８により設定された音周波数、振動周波数設定手段１０により設定された振動周波数、振動波形設定手段１１により設定された振動波形、音出力開始時間設定手段１３により設定された音出力開始時間、及び振動開始時間設定手段１４により設定された振動開始時間は、内蔵記憶装置１５（第１の記憶手段）または外部記憶装置（第２の記憶手段）１６に保存することも可能である。この場合、外部記憶装置１６を取り外し可能とすることで、例えば外部記憶装置１６を取り替えることにより、各個人あるいはグループの設定変更を行うことができるようになる。
また、これら音出力時間設定手段７、音周波数設定手段８、振動周波数設定手段１０、振動波形設定手段１１、音出力開始時間設定手段１３、及び振動開始時間設定手段１４の夫々の設定はキー個別に設定したり、或いは全てのキーを一括して設定したりすることが可能である。
【０００９】
図３は第１の実施形態に係る画像形成装置の制御動作を示したフローチャートである。
この場合、先ず、ステップＳ１において、タッチパネル５が押されたかどうかを検出し、タッチパネル５が押されたらステップＳ２へ進む。一方、タッチパネル５が押されていなければ待機状態となりステップＳ１に戻る。ステップＳ２では選択されたキー情報をＣＰＵ１で解析し、各設定値を読み出す準備をする。ステップＳ３はビープ音を鳴らす時間（音出力時間）を設定する。ステップＳ４はビープ音を鳴らし始める時間（音出力開始時間）を設定する。ステップＳ５はビープ音の周波数（音周波数）を設定し、ステップＳ６において、振動開始時間設定手段１４において振動が開始される時間（振動開始時間）を設定し、続くステップＳ７において振動周波数設定手段１０により振動させる周波数を設定し、ステップＳ８において、振動波形設定手段１１により振動波形を設定する。
これにより、設定した周波数で、設定時間だけビープ音を鳴らすと共に、タッチパネル５を振動させることができるようになる。
なお、第１の実施の形態では、キー選択検知手段４と音出力時間設定手段７とを別のブロックとして説明しているが、これらの機能はＣＰＵ１内に設けるようにしても良い。
【００１０】
〔第２の実施の形態〕
図４は第２の実施形態に係る画像形成装置の制御系の構成を示したブロック図である。なお、図１と同一部位には同一番号を付して説明は省略する。
この図４に示す画像形成装置は、上記図１に示した画像形成装置から音出力時間設定手段７、音周波数設定手段８、音出力手段９、音出力開始時間設定手段１３、及び振動開始時間設定手段１４を削除し、新たに振動待機時間を設定する振動待機時間設定手段１８を設けるようにしている。この場合、キー選択検知手段４は、操作部上にあるタッチパネル５が押されたことを検知すると、ＣＰＵ１は振動時間設定手段１７により設定された振動時間と振動周波数設定手段１０により設定された振動周波数、及び振動波形設定手段１１により設定された振動波形と振動待機時間設定手段１８により設定された振動開始時間とにより操作パネル振動手段１２を制御する。
なお、振動時間設定手段１７により設定された振動時間、及び振動待機時間設定手段１８により設定された振動開始時間は、例えば操作者が予め０秒から１０秒まで任意に設定できるものとする。また振動周波数設定手段１０により設定された振動周波数も、例えば操作者が予め０Ｈｚから１００ｋＨｚまで任意に設定できるものとする。さらに、振動波形設定手段１１により設定された振動波形は、正弦波、矩形波、三角波、あるいはこれら複数の波形の組み合わせを任意に設定できるものとする。また、振動波形設定手段１１により設定される振動波形が２種類あるいは複数種類であった場合、設定された波形夫々に振動待機時間及び振動時間を設定するといったことも可能である。
【００１１】
図５は、上記図４に示した振動波形設定手段により設定される振動波形例を示した図である。この図５に示すように振動波形設定手段１１により設定される振動波形としては、図５（ａ）に示すような正弦波の振動波形、図５（ｂ）に示すような矩形波の振動波形、図５（ｃ）に示すような三角波の振動波形が考えられる。また図５（ｄ）に示すような、同じ信号波形で有りながら、振動途中から振動周波数を変化させた振動波形、図５（ｅ）に示すような同じ周波数でありながら複数種類の波形の組み合わせた振動波形、図５（ｆ）に示すような波形形状と周波数が異なる複数種類を組み合わせた振動波形などが考えられる。図５（ｆ）に示すように波形が複数存在する場合は、タッチパネルの押下検出波形の立ち下がりエッジから最初の波形の立ち上がりエッジまでの期間が待機時間１、最初の波形の振動時間が振動時間１、次の波形の立ち上がりエッジまでの期間が待機時間２、その振動時間を振動時間２のように設定すれば良い。
また第２の実施形態の画像形成装置においては、振動時間設定手段１７により設定された振動時間、振動周波数設定手段１０により設定された振動周波数、振動波形設定手段１１により設定された振動波形、振動待機時間設定手段１８により設定された振動待機時間は、内蔵記憶装置１５（第１の記憶手段）または外部記憶装置（第２の記憶手段）１６に保存することも可能である。また、外部記憶装置１６を取り外し可能とすることで、例えば外部記憶装置１６を取り替えることにより、各個人あるいはグループの設定変更を行うことができるようになる。
また、これら音出力時間設定手段７、音周波数設定手段８、振動周波数設定手段１０、振動波形設定手段１１、音出力開始時間設定手段１３、及び振動開始時間設定手段１４の夫々の設定はキー個別に設定したり、或いは全てのキーを一括して設定したりすることが可能である。
また第２の実施形態に係る画像形成装置では、内蔵記憶装置１５又は外部記憶装置１６に記憶された振動時間、振動周波数、振動波形、振動待機時間をパスワードにより保護して、パスワードの一致が確認された場合のみ、第１の記憶手段１５又は第２の記憶手段１６に記憶された設定内容を変更できるようにしている。この場合、パスワードは、例えば１０文字以内の英数字の組み合わせで、それぞれ個別のパスワードを設定するか全て同じパスワードを設定するかを選択できるものとすることが考えられる。
【００１２】
図６は第２の実施形態に係る画像形成装置の制御動作を示したフローチャートである。
この場合、まず、ステップＳ１１において、タッチパネル５が押されたかどうかを検出し、タッチパネル５が押されたらステップＳ１２に進む。一方、タッチパネル５が押されていなければ待機状態となり、ステップＳ１１に戻る。キー選択検出が行われると、振動波形設定手段１１において振動させる波形を設定し（Ｓ１２）、次に振動周波数設定手段１０において振動させる周波数を設定する（Ｓ１３）。さらに、振動待機時間設定手段１８において振動待機時間を設定し（Ｓ１４）、待機時間のカウントを開始する（Ｓ１５）。次に、ステップＳ１６において、カウントした待機時間と振動待機時間設定手段１８により設定された時間を比較し、カウント値が設定値に達していなければ、ステップＳ１５に戻る。一方、カウント値が設定値に達していたらカウント動作を停止し、振動周波数設定手段１０により設定された周波数により操作パネル振動手段１１の動作を開始する（Ｓ１７）。
次に、振動時間設定手段１７により振動時間をカウントする（Ｓ１８）。ステップＳ１９においては、ステップＳ１８においてカウントした振動時間と、予め振動時間設定手段１７により設定した振動時間を比較してカウント値が設定値に達していなければ、ステップＳ１８に戻り、設定値に達していたら操作パネル振動手段１１の動作を停止する（Ｓ２０）。これにより、タッチパネルの押下を振動により操作者に知らせることができるようになる。
なお、第２の実施の形態では、振動周波数設定手段１０、振動波形設定手段１１、振動時間設定手段１７、及び振動待機時間設定手段１８を別の機能ブロックとして説明しているが、これらの機能は一つの機能ブロックとしても良い。
また、操作パネル振動手段１２はタッチパネルを振動させるように設置しても良いし、操作パネル面に専用の振動パッドなどを設けるようにしても良い。
【００１３】
図７は第２の実施形態に係る画像形成装置におけるパスワード設定の制御動作を示したフローチャートである。
この場合は、先ず、ステップＳ２１において、振動時間設定手段１７により設定された振動時間、振動周波数設定手段１０により設定された振動周波数、振動波形設定手段１１により設定された振動波形、振動待機時間設定手段１８により設定された振動待機時間に対して、夫々個別のパスワードを設定するか、全て同じパスワードを設定するかを選択する。全ての項目に対し同じパスワードを設定するが選択された場合、共通のパスワードを入力して設定を終了する（Ｓ２２）。
これに対して、ステップＳ２２において全ての項目に対し同じパスワードを設定するが選択されなかった場合、即ち個別にパスワードを設定するが選択された場合は、ステップＳ２３からステップＳ２６において、振動時間のパスワード、振動周波数のパスワード、振動波形のパスワード、振動待機時間のパスワードを夫々入力して設定を終了することになる。なお、パスワードを個別に入力する場合の入力順序は任意である。
【図面の簡単な説明】
【００１４】
【図１】本発明の第１の実施形態に係る画像形成装置の制御系の構成を示したブロック図。
【図２】図１に示した振動波形設定手段により設定される振動波形の一例を示した図。
【図３】第１の実施形態に係る画像形成装置の制御動作を示したフローチャート。
【図４】第２の実施形態に係る画像形成装置の制御系の構成を示したブロック図。
【図５】図４に示した振動波形設定手段により設定される振動波形の一例を示した図。
【図６】第２の実施形態に係る画像形成装置の制御動作を示したフローチャート。
【図７】第２の実施形態に係る画像形成装置のパスワード設定の制御動作を示したフローチャート。
【符号の説明】
【００１５】
１  ＣＰＵ、２  ＲＯＭ、３  ＲＡＭ、４  キー選択検知手段、５  タッチパネル、６  ＬＣＤ、７  音出力時間設定手段、８  音周波数設定手段、９  音出力手段、１０  振動周波数設定手段、１１  振動波形設定手段、１２  操作パネル振動手段、１３  音出力開始時間設定手段、１４  振動開始時間設定手段、１５  内蔵記憶装置、１６  外部記憶装置、１７  振動時間設定手段、１８  振動待機時間設定手段
【図１】
2006150865.tif 000003
【図２】
2006150865.tif 000004
【図３】
2006150865.tif 000005
【図４】
2006150865.tif 000006
【図５】
2006150865.tif 000007
【図６】
2006150865.tif 000008
【図７】
2006150865.tif 000009